(57)【要約】      （修正有）【課題】複数の記録媒体に対し、情報の記録及び／または情報の再生を行う情報記録再生装置における高画質化を実現可能であると共に、装置内で発生する熱を外部に効率よく放出し、装置内の温度上昇を抑制する。【解決手段】筐体４、筐体４内に収納された光ディスク２、筐体４内に収納されたＨＤＤ３、筐体４内に配設され且つ光ディスク２を装着して光ディスク２を回転させるディスクモータ２１、筐体４内に配設された温度センサ２５、ＨＤＤ３に対し情報の記録及び／または再生を行う際に、温度センサ２５で測定した測定温度と、予め設定された設定温度との比較を行う温度比較手段、温度比較手段において測定温度が設定温度以上となった際に、ディスクモータ２１を駆動させる回転制御手段、を備えた情報記録再生装置である。【選択図】図５
2009146552.tif 000002
【特許請求の範囲】
【請求項１】
複数の記録媒体に対し情報の記録及び／または情報の再生を行う情報記録再生装置であって、
筐体と、
前記筐体内に収納され、回転時に前記情報の記録及び／または再生が行なわれる第１の記録媒体と、
前記筐体内に収納され、前記情報の記録及び／または再生が行なわれる第２の記録媒体と、
前記筐体内に配設され、前記第１の記録媒体を装着して当該第１の記録媒体を回転させる回転装置と、
前記筐体内に配設された温度センサと、
前記第２の記録媒体に対し情報の記録及び／または再生を行う際に、前記温度センサで測定した測定温度と、予め設定された設定温度との比較を行う温度比較手段と、
前記温度比較手段において前記測定温度が設定温度以上となった際に、前記回転装置を駆動させる回転制御手段と、
を備えた情報記録再生装置。
【請求項２】
光学レンズ部と、
前記光学レンズ部が取得した光学情報を映像信号に変換する回路部品を有する回路基板と、
前記第１の記録媒体に対し前記映像信号の記録及び／または再生を行う第１のドライブと、
前記筐体内に配設され、全体の骨格を構成するメカフレームと、
をさらに備え、
前記回路基板は、前記メカフレームの一方の面と対向して配設され、前記第１のドライブは、前記メカフレームの他方の面と対向して配設されてなる請求項１記載の情報記録再生装置。
【請求項３】
前記筐体内に配設され、前記情報の記録及び／または再生が行なわれる第３の記録媒体をさらに備え、
前記温度比較手段は、前記第２の記録媒体または第３の記録媒体に対し情報の記録及び／または再生を行う際に、前記温度センサで測定した測定温度と、予め設定された設定温度との比較を行う請求項１または請求項２記載の情報記録再生装置。
【請求項４】
前記回路部品は、前記回路基板の前記メカフレームと対向する面に配設されてなり、前記メカフレームの一方の面に第１の放熱部材を配設し、当該第１の放熱部材と前記回路部品とを第２の放熱部材を介して接続してなる請求項２または請求項３記載の情報記録再生装置。
【請求項５】
前記回転制御手段は、周波数検出器により前記回転装置の回転数を制御するＦＧサーボ手段を含む請求項１ないし請求項４のいずれか一項に記載の情報記録再生装置。
【請求項６】
前記第１の記録媒体が光ディスクであり、前記第１のドライブが光ディスクドライブである請求項２ないし請求項５のいずれか一項に記載の情報記録再生装置。
【発明の詳細な説明】
【技術分野】
【０００１】
本発明は、複数の記録媒体に対し、情報の記録及び／または情報の再生を行う情報記録再生装置に関する。
【背景技術】
【０００２】
従来から、例えば、ビデオカメラ内の回路基板に搭載されたＬＳＩ等の回路部品から生じる熱の放熱対策として、情報記録再生装置の骨格となる金属フレームに熱伝導率に優れた銅板等の放熱板を接続して外部の筐体に放熱する構造とし、放熱板と回路基板間を放熱ゴムで接続して放熱性を改善する等の工夫がなされている。
【０００３】
また、小型化を達成すると共に、部品から発生した熱を伝熱部材を介して外部に効率よく伝導させる情報記録再生装置（電子機器）として、例えば、発熱する電子素子と前記電子素子から発生する温度よりも使用環境温度が低い電子素子と、これらが収容される筐体を支持する支持手段と、前記支持手段と前記発熱する電子素子との間に配置された前記発熱する電子素子による熱を伝導するための熱伝導手段と、を有する装置が紹介されている。（例えば、特許文献１参照）。
【０００４】
そしてまた、筐体内に撮像手段及び収音手段を有すると共に、当該撮像手段の近傍に発熱手段が配設され、この発熱手段の熱を放熱させる放熱手段を前記筐体に有する電子機器の放熱装置として、前記放熱手段の放熱孔と反対側を密閉する様な密閉ケーシングを具備し、少なくとも前記撮像手段または発熱手段の発する放熱を前記密閉ケーシングを介して伝達し、当該密閉ケーシングに伝達した熱を前記放熱手段を介して前記筐体外に放出させるものも紹介されている。（例えば、特許文献２参照）。
【０００５】
また、内部の熱を外部に効率良く逃がすことが可能な情報記録再生装置（電子機器）として、発熱する電子素子を有する二つの回路基板と、前記回路基板に挟まれる位置に配置されたフレームと、前記フレームに接していて前記フレームより高い熱伝導性をもった第１の放熱部材と、前記第１の放熱部材と前記二つの回路基板との間に熱を伝導する第２の放熱部材を有し、前記二つの回路基板を前記フレームにそれぞれ固定すると共に、前記二つの回路基板を直接コネクタで接続した装置も紹介されている。（例えば、特許文献３参照）。
【特許文献１】特開２００４−２５３７５２号公報
【特許文献２】特開２００５−１２１３２号公報
【特許文献３】特開２００７−１３４６１０号公報
【発明の開示】
【発明が解決しようとする課題】
【０００６】
近年、テレビ画像の高画質化が急速に進展しており、これに伴ってビデオカメラのハイビジョン画質化に対する要求が高まっている。ハイビジョン映像の画像処理には、コーディックＬＳＩに組み込まれた膨大な素子による制御が必要となり、コーディックＬＳＩにて発生する熱量が増大して、従来の放熱構造に加えて、新たな放熱改善手段を設ける必要に迫られている。
【０００７】
また、ビデオカメラの使い勝手の良さから、光ディスクドライブとハードディスクドライブ（以下、「ＨＤＤ］という）、光ディスクドライブとメモリカード、光ディスクドライブとＨＤＤと半導体メモリカード等、複数の記録媒体を搭載する情報記録再生装置（例えば、ビデオカメラ等）の需要が高まっており、携帯用に用いられる情報記録再生装置の限られた容積内に複数の記録媒体を搭載すると、情報記録再生装置の放熱性を改善する冷却ファンの搭載を可能とするスペース余裕を得ることが困難となっている。
【０００８】
本発明は、このような事情に鑑みなされたものであり、複数の記録媒体に対し、情報の記録及び／または情報の再生を行う情報記録再生装置における高画質化を実現可能であると共に、装置内で発生する熱を外部に効率よく放出し、装置内の温度上昇を抑制することができる情報記録再生装置を提供することを目的とする。
【課題を解決するための手段】
【０００９】
この目的を達成するため本発明は、複数の記録媒体に対し情報の記録及び／または情報の再生を行う情報記録再生装置であって、筐体と、前記筐体内に収納され、回転時に前記情報の記録及び／または再生が行なわれる第１の記録媒体と、前記筐体内に収納され、前記情報の記録及び／または再生が行なわれる第２の記録媒体と、前記筐体内に配設され、前記第１の記録媒体を装着して当該第１の記録媒体を回転させる回転装置と、前記筐体内に配設された温度センサと、前記第２の記録媒体に対し情報の記録及び／または再生を行う際に、前記温度センサで測定した測定温度と、予め設定された設定温度との比較を行う温度比較手段と、前記温度比較手段において前記測定温度が設定温度以上となった際に、前記回転装置を駆動させる回転制御手段と、を備えた情報記録再生装置を提供するものである。
【発明の効果】
【００１０】
本発明によれば、複数の記録媒体に対し、情報の記録及び／または情報の再生を行う情報記録再生装置における高画質化を実現可能であると共に、装置内で発生する熱を外部に効率よく放出し、装置内の温度上昇を抑制することができる。
【発明を実施するための最良の形態】
【００１１】
次に、本発明の好適な実施の形態にかかる情報記録再生装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１２】
図１は、本発明の実施の形態にかかる情報記録再生装置の外観斜視図、図２は、図１に示す情報記録再生装置のディスクカバーを開いた状態を示す外観斜視図、図３は、図２に示す情報記録再生装置の断面図、図４は、図１に示す情報記録再生装置の主要部分の分解斜視図、図５は、図１に示す情報記録再生装置において光ディスクが回転した際の空気の対流状態を模式的に示す断面図、図６は、本実施の形態にかかる情報記録再生装置において情報の記録及び／または情報の再生を行う際の放熱制御を示すフローチャートである。なお、前記各図では、説明を判り易くするため、各部材の厚さやサイズ、拡大・縮小率等は、実際のものとは一致させずに記載した。
【００１３】
図１及び図２に示すように、本実施の形態にかかる情報記録再生装置１（例えば、ビデオカメラ）は、第１の記録媒体としての光ディスク２（例えば、直径８ｃｍのＤＶＤ、あるいは直径８ｃｍのＢＤ等）を着脱可能に装着すると共に、光ディスク２に信号を記録及び光ディスク２に記録された信号を再生するための光ディスクドライブユニット１４（図３〜図５参照）を保護する筐体４と、筐体４に光ディスク２を装着するために筐体４に対し開閉可能に取付けられ、第２の記録媒体としてのＨＤＤ３を内蔵するディスクカバー５を有している。
【００１４】
筐体４のフロント側（撮影時に被写体を向く側）には、被写体を光学的に入射する光学レンズ部６と、集音を行うためのマイク部８等が、筐体４内に配設されているメカフレーム１１を介して保持されている。また、筐体４のリア側には、撮影時及び再生時に映像表示するビューファインダ７と、録画の開始及び停止を行う録画ボタン９と、電源の入切と動画モードと静止画モードの切り替えを行うモード切替ノブ３３と、図示しないバッテリの装着部等が、メカフレーム１１を介して保持されている。そしてまた、筐体４の図１及び図２でいう左側には、撮影時及び再生時に映像表示するＬＣＤ（Liquid Crystal Display：液晶表示パネル）等が設けられた液晶表示部３０が配設されている。
【００１５】
なお、図１及び図２では、液晶表示部３０は、表示面を内側にして閉じた状態で示されており、液晶表示部３０は、図示しないＬＣＤ支点部を支点として開閉及び回転させることができ、使用状態に適した角度に表示面を調整可能となっている。
【００１６】
光ディスクドライブユニット１４には、光ディスク２を着脱可能に装着し、装着された光ディスク２を回転させる回転装置としてのディスクモータ２１と、光ディスク２の情報記録面にレーザ光を照射すると共に、この情報記録面で反射されたレーザ光を受光するピックアップ２２等が搭載されている。
【００１７】
ディスクモータ２１には、図示しないＦＧ（Frequency Generator）が搭載されており、このＦＧに基づいて光ディスク２の回転数をフィードバック制御するＦＧサーボ手段と、光ディスク２の反射光から検出されるウォブル信号に基づいて光ディスク２の回転数をさらに高精度にフィードバック制御するサーボ手段の２種類のサーボ手段を備えている。また、ディスクモータ２１には、図示しないターンテーブルが搭載されており、ターンテーブルに光ディスク２を保持し、ドライブ基板１５の制御に基づいて光ディスク２を回転制御する。
【００１８】
ピックアップ２２は、図示しない送りモータとスクリューネジによって光ディスク２の半径方向に移動可能に取り付けられており、ピックアップ２２に搭載したレーザからレーザ光を光ディスク２に照射して光ディスク２に対する情報記録が行われる。また、光ディスクの情報記録に悪影響を及ぼさない程度の小さなレーザパワーを光ディスク２に照射した際の光ディスク２からの反射光に基づいて、光ディスク２に記録された情報の再生とウォブル信号に基づくサーボ制御が行われる。このピックアップ２２には、温度センサ２５（図５参照）が設けられており、温度センサ２５にて検出された温度情報は、メイン基板１３に搭載された図示しないＣＰＵに送られ、後に詳述するが、レーザ駆動制御や、ＨＤＤに対する情報の記録及び／または再生時に、筐体４内が高温となった場合の光ディスク２の回転による放熱制御に用いられる。
【００１９】
図３〜図５に示すように、筐体４の内部の略中心部には、装置全体の骨格となる金属製のメカフレーム１１が配置されている。このメカフレーム１１の一方の面には、筐体４の内部の熱を外部に逃がすための放熱板１２が接合固定されている。この放熱板１２は、外郭部品であるＬケース１６（図３参照）と筐体４の底面部で接して筐体４の外に熱を逃がしている。また、メカフレーム１１の放熱板１２が接合固定された面には、カメラ機能を制御する回路部品１８と、コネクタ２４ａとを搭載したメイン基板１３が、回路部品１８及びコネクタ２４ａが搭載されている側の面をメカフレーム１１側に向けて配設され、放熱板１２と、回路部品１８との間に、弾性材である放熱ゴム１９ａを介在させた状態で、メカフレーム１１を挟んで、後に詳述するドライブ基板１５にネジ止めされている。
【００２０】
一方、メカフレーム１１の他方の面には、ディスクモータ２１の駆動制御（回転制御）を行う駆動ＩＣ２０と、コネクタ２４ｂとを搭載したドライブ基板１５が、駆動ＩＣ２０及びコネクタ２４ｂが搭載されている側の面をメカフレーム１１側に向けて配設され、メカフレーム１１と、駆動ＩＣ２０との間に、弾性材である放熱ゴム１９ｂを介在させた状態で、メカフレーム１１にネジ止めされている。
【００２１】
また、メカフレーム１１のドライブ基板１５が配設される側には、光ディスクドライブユニット１４がゴムダンパー１７を介してネジ止めされている。
【００２２】
なお、後に詳述するが、本実施の形態では、メイン基板１３は、メカフレーム１１の一方の面と対向して配設され、光ディスクドライブユニット１４は、メカフレーム１１の他方の面と対向して配設されているため、筐体４内の熱を外部に一層効率よく放出させることができる。
【００２３】
なお、本実施の形態では、カメラ機能を制御する回路部品１８として、コーディックＬＳＩを用いた。ここで、ハイビジョン映像の画像処理には、コーディックＬＳＩに組み込まれた膨大な素子による制御が不可欠であるが、このようなコーディックＬＳＩでは、特に、記録媒体への記録における動画の画像処理による発熱量が飛躍的に増大してしまうことが知られている。本実施の形態にかかる情報記録再生装置１では、コーディックＬＳＩにて生じる熱の放熱は、放熱ゴム１９ａを経由して放熱板１２に熱伝導され、放熱板１２は、筐体４と直接接続されているため、コーディックＬＳＩにて発生した熱を大気中に逃がすことができる。なお、ドライブ基板１５に搭載された駆動ＩＣ２０にて生じる熱は、放熱ゴム１９ｂを経由して放熱板１２に熱伝導させている。また、特に図示しないが、メイン基板１３やドライブ基板１５に搭載されたその他の発熱部品に対しても、弾性材の放熱ゴムを挟んで放熱板１２に接続し、筐体４の外へと放熱している。
【００２４】
次に、この構成を備えた情報記録再生装置１のディスクモータ２１に光ディスク２を装着し、この光ディスク２を回転させた際に、筐体４内で生じる空気の対流について図５を参照して説明する。
【００２５】
ディスクモータ２１の図示しないターンテーブルに光ディスク２を保持し、ドライブ基板１５の制御に基づいて光ディスク２を回転させると、遠心力によって、光ディスク周囲の空気は、外周側に移動していき、光ディスク内周側が負圧となる。このため、放熱板１２、メイン基板１３、ドライブ基板１５側の空気は、光ディスクドライブユニット１４に形成されたドライブカバー切欠き部２３（図５参照）を通して光ディスク内周側に引き込まれる。
【００２６】
より具体的には、光ディスク２の回転による遠心力によって、光ディスク外周側に移動した空気は、図５に点線矢印で示すように、筐体４の内部の隙間から、メカフレーム１１、放熱板１２、メイン基板１３、ドライブ基板１５の周囲を巡る空気流となり、更に、メカフレーム１１や放熱板１２の空隙部から光ディスクドライブユニット１４のドライブカバー切欠き部２３を経由して光ディスク２へと循環する、あるいは、筐体４の内壁に沿って光ディスク２へと循環する対流を形成する。すなわち、回路部品１８（コーディックＬＳＩ）で画像処理を行う際に発生する熱は、放熱ゴム１９ａを経由して放熱板１２から筐体４の外部に熱伝導で放熱されると共に、この空気対流によっても筐体４の内部全体に拡散され、筐体４の外部へと放熱される。
【００２７】
次に、本実施の形態にかかる情報記録再生装置１にて、情報の記録あるいは再生を行う際に、メイン基板１３上のＣＰＵで行う光ディスク回転による放熱制御について図６を参照して説明する。
【００２８】
先ず、ステップＳＰ１０１にて、現在の情報記録再生装置１の動作モード状況を確認する。すなわち、ＥＥスルーモード、ハードディスク記録/再生（ＨＤＤ記録/再生）モード、光ディスクドライブ記録/再生モード、ＨＤＤと光ディスクドライブを同時に使用するダビングモードのいずれのモードにあるかを確認する。
【００２９】
次に、ステップＳＰ１０２に進み、ステップＳＰ１０１で確認されたモードが、ＨＤＤ記録/再生モードである場合（ステップＳＰ１０２：ＹＥＳ）は、ステップＳＰ１０３に進み、ＨＤＤ記録/再生モード以外の場合（ステップＳＰ１０２：ＮＯ）は、ステップＳＰ１０８に進み、放熱制御処理を終了する。
【００３０】
次いで、ステップＳＰ１０３では、ピックアップ２２に搭載された温度センサ２５により、筐体４内の温度を測定し、ステップＳＰ１０４に進む。ステップＳＰ１０４では、温度センサ２５により測定した測定温度と、予め設定された設定温度との比較を行い、測定温度が設定温度以上の場合（ステップＳＰ１０４：ＹＥＳ）は、ステップＳＰ１０５に進み、ディスクモータ２１を駆動させる。すなわち、ディスクモータ２１が駆動停止状態あるいは駆動状態のいずれの状態であっても、ドライブ基板１５の駆動ＩＣ２０の制御に基づいて光ディスクを所定の回転数となるように制御する。その後、ステップＳＰ１０８に進み、放熱制御処理を終了する。
【００３１】
なお、ディスクモータ２１の回転数制御（すなわち、光ディスク２の回転数制御）は、消費電力をできるだけ低く抑える必要から、レーザ光と光ディスク２からの反射光の信号処理を必要とするウォブル信号に基づくサーボ制御を停止し、ＦＧサーボによる制御にて回転数を一定に保つ。また、ディスクモータ２１の回転数は、対流による放熱効果と消費電力のバランスした設定値とする。
【００３２】
一方、測定温度が設定温度未満の場合（ステップＳＰ１０４：ＮＯ）は、ステップＳＰ１０６に進み、ディスクモータ２１が駆動しているか否かを判断する。ディスクモータ２１が駆動（回転）している（ステップＳＰ１０６：ＹＥＳ）場合は、ステップＳＰ１０７に進み、ディスクモータ２１を駆動停止にした後、ステップＳＰ１０８に進み、放熱制御処理を終了する。一方、ディスクモータ２１が駆動停止している（ステップＳＰ１０６：ＮＯ）場合は、ステップＳＰ１０８に進み、放熱制御処理を終了する。
【００３３】
なお、筐体４内部の設定温度は、筐体４内に配設した各種部品が正常に動作する上限温度以下とする必要があり、本実施の形態では、設定温度を５０℃とした。また、ステップＳＰ１０８にて、放熱制御処理を終了した後、情報の記録あるいは再生が継続されている場合は、定期的（例えば１秒毎）にステップＳＰ１０１に戻って、ディスクモータ２１（光ディスク２）の回転による放熱制御が適切に行われるようにする。
【００３４】
また、前述した放熱制御において、より適切な放熱を行うため、例えば、ディスクモータ２１の回転数や回転時間を、筐体４内の温度によって決定するようにしてもよい。具体的には、筐体４内の温度が設定温度よりも高いほど、回転数を増加する、あるいは回転時間を長くしてもよい。回転させる時間を長くした場合は、前述した定期的にステップＳＰ１０１に戻るタイミングを、前記回転時間によって設定すればよい。
【００３５】
そしてまた、本実施の形態では、情報記録再生装置１に搭載する記録媒体として、光ディスク２とＨＤＤ３とを組合せた場合について説明したが、これに限らず、情報記録再生装置１に搭載する記録媒体としては、例えば、光ディスクと半導体メモリ、あるいは、光ディスクとＨＤＤと半導体メモリの３つの記録媒体の組合せ等、任意に決定することが可能である。
【００３６】
また、本実施の形態では、温度センサ２５をピックアップ２２に配設した場合について説明したが、これに限らず、温度センサ２５は、所望により、筐体４内の任意の位置に配設することができる。
【図面の簡単な説明】
【００３７】
【図１】本発明の実施の形態にかかる情報記録再生装置の外観斜視図である。
【図２】図１に示す情報記録再生装置のディスクカバーを開いた状態を示す外観斜視図である。
【図３】図２に示す情報記録再生装置の断面図である。
【図４】図１に示す情報記録再生装置の主要部分の分解斜視図である。
【図５】図１に示す情報記録再生装置において光ディスクが回転した際の空気の対流状態を模式的に示す断面図である。
【図６】本実施の形態にかかる情報記録再生装置において情報の記録及び／または情報の再生を行う際の放熱制御を示すフローチャートである。
【符号の説明】
【００３８】
１…情報記録再生装置、  ２…光ディスク、  ３…ＨＤＤ、  ４…筐体、  ５…ディスクカバー、  ６…光学レンズ部、  ７…ビューファインダ、  ８…マイク部、  ９…録画ボタン、  １１…メカフレーム、  １２…放熱板、  １３…メイン基板、  １４…光ディスクドライブユニット、  １５…ドライブ基板、  １８…回路部品、  １９ａ、１９ｂ…放熱ゴム、  ２０…駆動ＩＣ、  ２１…ディスクモータ、  ２２…ピックアップ、  ２５…温度センサ、  ３０…液晶表示部、  ３３…モード切替ノブ
【図４】
2009146552.tif 000003
【図５】
2009146552.tif 000004
【図６】
2009146552.tif 000005
【図１】
2009146552.tif 000006
【図２】
2009146552.tif 000007
【図３】
2009146552.tif 000008